(57)【要約】【課題】応力発光材料と太陽電池を組み合わせた発電装置の提供。【解決手段】発電装置１００は応力発光材料を含む応力発光材１０と太陽電池２０からなる。応力発光材１０の発光面と太陽電池２０の受光面（とが対面するように、応力発光材１０と太陽電池２０が配置される。応力発光材１０に外力EFにより機械的なエネルギーが加わると発光光線Ｌ１が出射する。発光光線Ｌ１が太陽電池２０の受光面に入射して太陽電池２０の光起電効果により電力を生じる。電力は出力端子３０から取り出され電気機器に供給されて利用される。応力発光材１０を透過した外光Ｌ２によっても太陽電池２０は発電する。【選択図】  図１
2009016576.tif 000002
【特許請求の範囲】
【請求項１】
機械的エネルギーの印加により発光する応力発光材料を含有する応力発光部材と、
前記応力発光部材からの発光を受光して発電する太陽電池とを備えた、発電装置。
【請求項２】
機械的エネルギーの印加により発光する応力発光材料を含有する応力発光部材と、
前記応力発光部材からの発光を受光して発電する太陽電池とを備え、
前記応力発光部材は、前記応力発光材料を含む複数の応力発光粒子を光透過性部材内に分散した、発電装置。
【請求項３】
機械的エネルギーの印加により発光する応力発光材料を含有する応力発光部材と、
前記応力発光部材からの発光を受光して発電する太陽電池とを備え、
前記応力発光部材の下方に前記太陽電池を配置し、
前記応力発光部材の上方から機械的エネルギーの印加したときに、前記太陽電池は前記応力発光部材から発光する光線を受光して発電する、発電装置。
【請求項４】
機械的エネルギーの印加により発光する応力発光材料を含有する応力発光部材と、
前記応力発光部材からの発光を受光して発電する太陽電池とを備え、
前記応力発光部材の下方に前記太陽電池を配置し、
前記太陽電池は前記応力発光部材を透過する太陽光線または外部照明光線からなる外部光線により発電する、発電装置。
【請求項５】
機械的エネルギーの印加により発光する応力発光材料を含有する応力発光部材と、
前記応力発光部材からの発光を受光して発電する太陽電池とを備え、
前記応力発光部材は、前記応力発光材料を含む複数の応力発光粒子を光透過性を有する弾性ポリマー部材内に分散した、発電装置。
【請求項６】
機械的エネルギーの印加により発光する応力発光材料を弾性部材に担持した応力発光弾性部材と、
前記応力発光弾性部材からの発光を受光して発電する太陽電池とを備え、
前記太陽電池は、前記応力発光部材を透過した外光を受光して発電すると共に、前記応力発光弾性部材に加えた外力による応力発光を受光して発電する、発電装置。
【請求項７】
機械的エネルギーの印加により発光する応力発光材料を弾性部材に担持した応力発光弾性部材と、
前記応力発光弾性部材からの発光を受光して発電する太陽電池とを備え、
前記応力発光弾性部材は、一端が支持部材により固定された固定端であり、他端が自由端である、カンチレバー構造である、発電装置。
【請求項８】
機械的エネルギーの印加により発光する応力発光材料を弾性部材に担持した応力発光弾性部材と、
前記応力発光弾性部材からの発光を受光して発電する太陽電池とを備え、
前記応力発光弾性部材は、一端が支持部材により固定された固定端であり、他端が錘を配置した自由端である、カンチレバー構造である、発電装置。
【発明の詳細な説明】
【技術分野】
【０００１】
本発明は発電装置とその応用に関する。
【０００２】
従来、太陽電池（Ｓｏｌａｒ  ｃｅｌｌ：ソーラー・セル、Ｓｏｌａｒ  Ｂａｔｔｅｒｙ：ソーラー・バッテリー）に太陽光線、照明光線などの外部光線（外光）を受光して発電する光発電装置が周知であり広く実用化されている。
【０００３】
周知のように、太陽電池（Ｓｏｌａｒ  ｃｅｌｌ）は、光起電力効果を利用し、光エネルギーを直接電力に変換する電力機器である。「本明細書の段落ないし段落までの記載は、ｗｅｂ上の百科事典「ウィキペディ（Ｗｉｋｉｐｅｄｉａ）」の太陽電池（Ｓｏｌａｒ  ｃｅｌｌ）および太陽光発電（Ｐｈｏｔｏｖｏｌｔａｉｃ  ｐｏｗｅｒ  ｇｅｎｅｒａｔｉｏｎ）の項を抜粋して引用する。」
【０００４】
主流のシリコン太陽電池の他、様々な化合物半導体などを素材にしたものが実用化されている。また色素増感型太陽電池、有機太陽電池も研究されている。
【０００５】
シリコンを用いるシリコン系太陽電池は、材料の性質の観点からは、大きく結晶シリコンとアモルファスシリコンに分類することができる。
【０００６】
単結晶シリコン型太陽電池は、  高純度シリコン単結晶ウエハを利用するもので、最も古くから使われている。  
【０００７】
多結晶シリコン型太陽電池は、結晶の粒径が数ｍｍ程度の多結晶シリコンを利用した太陽電池である。
【０００８】
微結晶シリコン型太陽電池は、微細な結晶で構成された薄膜をＣＶＤ法などにて製膜するものである。多結晶型の１種と見なせるが、製膜条件によってはアモルファス的な性質も併せ持つ。  
【０００９】
アモルファス（非結晶）シリコン型太陽電池は、  シランガスから化学気相成長  （ＣＶＤ）  させてできるアモルファス・シリコンを利用した太陽電池である。
【００１０】
太陽光発電は、上記の太陽電池を利用し、太陽光、照明光などの光エネルギーを直接的に電力に変換する発電方式である。
【００１１】
＜太陽電池を用いた発電装置の例について＞
【００１２】
この光発電装置として、例えば特許文献１（特開２０００−２９１２４６）に記載のように、歩行等が可能な表面に太陽電池を組み込んだ太陽電池付きユニット床材が知られている。
【００１３】
また例えば特許文献２（特開平５−３１５６３５）、特許文献３（特開２００２−２７０８８２）  外に記載のように、この太陽電池は、外部光線が存在しない暗所、夜間では発電しないので、外部光線が存在するときに、外部光線のエネルギーを蓄光性蛍光材に蓄積し、蓄光性蛍光材の持続的な残光光線を太陽電池に照射して外部光線が存在しないときにも発電する光発電装置が公知である。
【００１４】
＜圧電体を用いた発電装置の例について＞
【００１５】
例えば特許文献４（特開２００６−１９７７０４）には、人、車両、又は列車を含む移動物体が通過する通路に設置された圧電部材を備え、前記圧電部材上を前記移動物体が通過することにより前記圧電部材で生じた電力を取り出す発電システムが開示されている。
【００１６】
また例えば特許文献５（特開平９−２３３８６２）と、これと対応する特許文献６（米国特許５，８３５，９９６）には、圧電体を用いた発電方法、発電装置および電子機器が開示されている。
【００１７】
特許文献５、６の技術は、外光の有無に無関係に発電できる利点があるが、外光を利用するものではない。
【００１８】
＜本発明の発電装置、発電方法で用いる応力発光材について＞
【００１９】
従来、摩擦、衝撃、圧縮、湾曲、引張りなどの応力、機械的刺激、機械エネルギーの印加により可逆的に発光する現象を示す応力発光（ストレス  ルミネツセンス：ｓｔｒｅｓｓ  ｌｕｍｉｎｅｓｃｅｎｃｅ）材料が公知である。
【００２０】
応力発光現象は、摩擦発光（トリボルミネツセンス：ｔｒｉｂｏ−ｌｕｍｉｎｅｓｃｅｎｃｅ）、メカノルミッセンス（ｍｅｃｈａｎｏ−ｌｕｍｉｎｅｓｃｅｎｃｅ）とも呼ばれている。
【００２１】
この応力発光材料については、例えば下記に列挙する特許文献６ないし特許文献２０に記載されている。
【００２２】
特許文献６（特開昭４８−４６５８２号公開公報）には、二価のユーロピウムで付活したアルミン酸ストロンチウムよりなる応力発光材料の一種である蛍光体を所望形状の基板に塗布してなる摩擦発光素子が開示されている。
【００２３】
また、この蛍光体を基板に塗布し、摩擦、衝撃などの機械的エネルギーを付与すると、通常の明るさの部屋の中でおいても肉眼で認められる大きい輝度の黄緑色の発光が得られること、更に機械的エネルギーを与えた瞬間から約３０乃至６０分経過後も残光性即ち蓄光性を示すことが開示されている。
【００２４】
特許文献７（特開昭５６−１３６８７４号公報）には、ユウロピウムあるいはテルピウムからなる希土類元素含有ピコリン酸塩等の有機錯体からなる摩擦発光物質（応力発光材料）が開示され、また通常光下においてユウロピウムの場合には赤色発光、テルピウムの場合には緑色発光を行うと記載されている。
【００２５】
特許文献８（特開平１１−１１６９４６）、特許文献９（特開平１１−１２０８０１）およびこれらと対応する特許文献１０（米国特許６，１１７，５７４）には、外部から加えられた摩擦力、応力、衝撃力などの機械的エネルギーにより電圧を発生するウルツ鉱型構造の無機圧電性酸化物、硫化物、炭化物および窒化物の１種類以上からなる母体材料と、機械的エネルギーで生じた母体内の電界によってその原子を構成する電子が励起された後、安定状態に戻る時に発光するレアアース又は遷移金属の発光中心から構成される無機材料を原料とし、各種の材料の上に付着させた力で発光する薄膜、）および外部から加えられた摩擦力、応力、衝撃力などの機械的エネルギーにより電圧を発生するウルツ鉱型構造の無機圧電性酸化物、硫化物、炭化物および窒化物の１種類以上からなる母体材料に、機械的エネルギーで生じた母体内の電界によってその原子を構成する電子が励起された後、安定状態に戻る時に発光するレアアース又は遷移金属の１種類以上の発光中心を所定量添加した力で発光する無機材料およびバルク無機材料が開示されている。
【００２６】
更に、これらの特許文献８ないし特許文献１０には、発光は、母体材料と発光中心を組み合わせることによって様々な波長領域の発光が可能であり、例えば、硫化亜鉛母体材料にマンガンを添加するとオレンジ色の発光が観察されるが、銅を添加すると青色の発光が見られ、肉眼で波長領域の変化が確認できることが開示されている。
【００２７】
特許文献１１（特開２００４−０５９７４６）およびこれと対応する特許文献１２（米国特許２００５０２４７９１２公開特許文献）には、ストロンチウム及びアルミニウム含有複合金属酸化物を母体材料とし、機械的なエネルギーによって励起されたキャリアが、基底状態に戻る場合に発光する希土類金属又は遷移金属の中から選ばれた少なくとも１種の金属を発光中心として含むメカノルミネッセンス材料（応力発光体）が開示されている。
【００２８】
特許文献１３（特開２０００−１７３３０１）およびこれと対応する特許文献１４（米国特許６，２８１，６１７号特許文献）には、圧力を加えることにより発光する圧力発光層と、電極膜で挟持された圧電膜を備え、前記圧力発光層に圧力を加えることが可能に配置された圧電体素子と、を備えた摩擦ルミネセンス（応力発光）を利用した圧電発光素子が開示されている。
【００２９】
更に特許文献１３、特許文献１４には、「圧力発光（応力発光）層は、圧力を加えることにより発光する下記の（ａ）ないし（ｈ）摩擦ルミネセンス材料（応力発光材料）で構成されている。
【００３０】
（ａ）摩擦ルミネセンス材料（応力発光材料）として、Ｎ−イソプロピルカルバゾールを使用した場合、強い青色の光（波長４００ｎｍから５００ｎｍ）を発生させることができる。
【００３１】
（ｂ）摩擦ルミネセンス材料（応力発光材料）として、酸化珪素（Ｓｉ０x：０＜ｘ≦２）ガラスを使用した場合、膜形成時の条件でＳｉ原子とＯ原子との結合状態が変わることで、青色（波長４３０ｎｍ）、赤色（波長６３０ｎｍ）または白色（波長３８０ｎｍから９００ｎｍ）の光を発生させることができる。
【００３２】
（ｃ）摩擦ルミネセンス材料（応力発光材料）として、Ｅｕ（ＴＴＡ）3を使用した場合、赤色（６１０ｎｍ）の光を発生させることができる。
【００３３】
（ｄ）摩擦ルミネセンス材料（応力発光材料）として、フェナントレン（ｐｈｅｎａｎｔｈｒｅｎｅ）を用いると、４００ｎｍから４４０ｎｍの青色光が得られる。
【００３４】
（ｅ）摩擦ルミネセンス材料（応力発光材料）として、クマラン（ｃｏｕｍａｒｉｎ）を用いると、波長３９０ｎｍから４５０ｎｍの光が得られる。
【００３５】
（ｆ）摩擦ルミネセンス材料（応力発光材料）として、ｍ−アミノフェノール（ｍ−ａｍｉｎｏｐｈｅｎｏｌ）を用いると、波長３４０ｎｍ程度の紫外線を放出可能であり、可視光以外の光照射に使用可能である。
【００３６】
（ｇ）摩擦ルミネセンス材料（応力発光材料）として、無水フタル酸（ｐｈｔｈａｌｉｃ  ａｎｈｙｄｒｉｄｅ）を用いると、波長３６０ｎｍから４２０ｎｍの光が得られる。
【００３７】
（ｈ）摩擦ルミネセンス材料（応力発光材料）として、（Ｃｈ3Ｐ）2Ｃを用いると、波長４８０ｎｍから５６０ｎｍの光が得られる。
【００３８】
特許文献１５（特開２００５−７５８３８）には、ＭＮｂ2Ｏ6（Ｍは、Ｍｇ，Ｃａ，Ｓｒ，Ｃｏの群の中からそれぞれ選ばれた少なくとも１種以上の金属元素）で表されるコロンバイト型構造の酸化物を用いた応力により発光する外部からの応力や摩擦により効率的に発光する蛍光体発光材料（応力発光体）が開示されている。
【００３９】
またこの特許文献１５には、この応力発光体は５００ｎｍ付近に発光ピークを持つ青色の発光スペクトルを発することが開示されている。
【００４０】
特許文献１６（特開２００６−３１２７１９号公報）およびこれと対応する特許文献１７（国際公開ＷＯ２００６１０９７０４Ａ１号公報）には、多面体構造の分子により構成される母体構造に、アルカリ金属イオンおよびアルカリ土類金属イオンが挿入され、その一部が、希土類金属、遷移金属、ＩＩＩ族の金属、またはＩＶ族の金属の、いずれかのイオンで置換された構造を有する応力発光材料が開示され、該応力発光材料は、三斜晶構造、正方晶構造或いは三方晶構造を有する発光体で紫外線の発光を示すことが記載されている。
【００４１】
更に、このように多面体構造の分子から構成され、歪を生じさせやすい空間を有する母体構造の空間に、アルカリ金属イオンとアルカリ土類金属イオンとが挿入された基本構造を有し、強い発光を示すことができることが記載されている。
【００４２】
更に、上記応力発光材料は、上記空間に挿入されたＬｉ、Ｎａ、Ｋ、Ｒｂ、Ｃｓ等のアルカリ金属イオンおよびＣａ、Ｍｇ、Ｂａ、Ｓｒ等のアルカリ土類金属イオンの一部が、希土類金属イオン、遷移金属イオン、ＩＩＩ族の金属イオン、およびＩＶ族の金属イオンから選択される少なくとも１種の金属イオンに、置換されている構成であり、強い紫外線波長（２００乃至４００ｎｍの波長領域）を示すことが記載されている。
【００４３】
また、上記応力発光材料において、例えば、希土類金属イオンとして、発光中心となるＣｅイオンを選択すれば、強い紫外線発光を呈する応力発光材料（高強度応力発光材料）を実現することができることが記載されている。
【００４４】
本発明者による特許文献１８（特開２００５−３００５８７公報）には、力を加えると光る応力発光材料を柔軟性、弾力性のある棒  （スティック、長い部材）  の表面、内部に設けた発光棒と、好ましくは更にその端部に重りを設けた、端部に力を加えて光らせる応力発光スティック（応力発光素子、応力発光棒）などが開示されている。
【００４５】
本発明者による特許文献１９（特開２００５−３２２４２１公報）と、これと対応する特許文献２０（米国特許公開公報２００７００８０６２３Ａ１、公開日Ａｐｒｉｌ  １２，  ２００７）には、壁、殻によって囲まれた空間を有する球状等の光透過性の壁部材  （又はカプセル）と、空間に可動自在に配置された一つ又は複数の粒子状部材と、壁部材及び、又は粒子状部材に含有した機械的刺激  （機械的エネルギーの付与）  により発光する応力発光材料とからなる応力発光素子などが開示されている。
【００４６】
【特許文献１】特開２０００−２９１２４６号公報
【特許文献２】特開平５−３１５６３５号公報
【特許文献３】特開２００２−２７０８８２号公報
【特許文献４】特開２００６−１９７７０４号公報
【特許文献５】特開平９−２３３８６２号公報
【特許文献６】特開昭４８−４６５８２号公報
【特許文献７】特開昭Ｓ５６−１３６８７４号公報
【特許文献８】特開平１１−１１６９４６号公報
【特許文献９】特開平１１−１２０８０１号公報
【特許文献１０】米国特許６，１１７，５７４号特許文献
【特許文献１１】特開２００４−０５９７４６号公報
【特許文献１２】米国特許２００５０２４７９１２号特許文献
【特許文献１３】特開２０００−１７３３０１号公報
【特許文献１４】米国特許６，２８１，６１７号特許文献
【特許文献１５】特開２００５−７５８３８号公報
【特許文献１６】特開２００６−３１２７１９号公報
【特許文献１７】国際公開ＷＯ２００６１０９７０４Ａ１号特許文献
【特許文献１８】特開２００５−３００５８７号公報
【特許文献１９】特開２００５−３２２４２１号公報
【特許文献２０】米国特許公開２００７００８０６２３Ａ１号特許文献
【発明の開示】
【発明が解決しようとする課題】
【００４７】
本発明は、新規な発電装置と発電方法およびその応用を提供する。
【課題を解決するための手段】
【００４８】
本発明は、基本的に、応力発光材料と、太陽電池とからなる発電装置と発電方法である。
【００４９】
本発明の一態様の発電装置は、機械的エネルギーの印加により発光する応力発光材料を含有する応力発光部材と、前記応力発光部材からの発光を受光して発電する太陽電池とを備える発電装置である。
【００５０】
本発明の他の一態様の発電装置は、機械的エネルギーの印加により発光する応力発光材料を含有する応力発光部材と、前記応力発光部材からの発光を受光して発電する太陽電池とを備え、前記応力発光部材は、前記応力発光材料を含む複数の応力発光粒子を光透過性部材内に分散している発電装置である。
【００５１】
本発明の他の一態様の発電装置は、機械的エネルギーの印加により発光する応力発光材料を含有する応力発光部材と、前記応力発光部材からの発光を受光して発電する太陽電池とを備え、前記応力発光部材の下方に前記太陽電池を配置し、前記応力発光部材の上方から機械的エネルギーの印加したときに、前記太陽電池は前記応力発光部材から発光する光線を受光して発電する発電装置である。
【００５２】
本発明の他の一態様の発電装置は、機械的エネルギーの印加により発光する応力発光材料を含有する応力発光部材と、前記応力発光部材からの発光を受光して発電する太陽電池とを備え、前記応力発光部材の下方に前記太陽電池を配置し、前記太陽電池は前記応力発光部材を透過する太陽光線または外部照明光線からなる外部光線により発電する、発電装置である。
【００５３】
本発明の他の一態様の発電装置は、機械的エネルギーの印加により発光する応力発光材料を含有する応力発光部材と、前記応力発光部材からの発光を受光して発電する太陽電池とを備え、前記応力発光部材は、前記応力発光材料を含む複数の応力発光粒子を光透過性を有する弾性ポリマー部材内に分散した、発電装置である。
【００５４】
本発明の他の一態様の発電装置は、機械的エネルギーの印加により発光する応力発光材料を弾性部材に担持した応力発光弾性部材と、前記応力発光部材からの発光を受光して発電する太陽電池とを備え、前記太陽電池は、前記応力発光部材を透過した外光を受光して発電すると共に、前記応力発光弾性部材に加えた外力による応力発光を受光して発電する、発電装置である。
【００５５】
本発明の他の一態様の発電装置は、機械的エネルギーの印加により発光する応力発光材料を弾性部材に担持した応力発光弾性部材と、前記応力発光弾性部材からの発光を受光して発電する太陽電池とを備え、前記応力発光弾性部材は、一端が支持部材により固定された固定端であり、他端が自由端である、カンチレバー構造である、発電装置である。
【００５６】
本発明の他の一態様の発電装置は、機械的エネルギーの印加により発光する応力発光材料を弾性部材に担持した応力発光弾性部材と、前記応力発光弾性部材からの発光を受光して発電する太陽電池とを備え、前記応力発光弾性部材は、一端が支持部材により固定された固定端であり、他端が錘を配置した自由端である、カンチレバー構造である、発電装置である。
【発明を実施するための最良の形態】
【００５７】
本発明の各種の実施の形態を以下に添付図面を参照して記載する。
【００５８】
＜本発明の基本原理の説明＞
【００５９】
本発明の基本原理を図１および図２を参照して記述する。
【００６０】
図１は、本発明の基本原理を説明する発電装置の概略的な斜視図である。
【００６１】
図２は、本発明の基本原理を説明する発電装置の概略的な回路図である。
【００６２】
図１に示すように、本発明の発電装置１００は、応力発光材料を含むシート状、板状などの応力発光材（応力発光部材）１０と、シート状、板状などの太陽電池２０とからなる。
【００６３】
応力発光材１０の発光面（図１では応力発光材１０の裏面）と、太陽電池２０の受光面（図１では太陽電池２０の表面）とが対面するように、応力発光材１０と太陽電池２０が配置されている。
【００６４】
図１に示すように、応力発光材１０の発光面と太陽電池２０の受光面の面積がほぼ等しいのが望ましいが、これに限定されない。
【００６５】
応力発光材１０の発光面と太陽電池２０の受光面とは、所定距離だけ離間しても良い。
【００６６】
または応力発光材１０の発光面と太陽電池２０の受光面と、密着または一体化しても良い。
【００６７】
応力発光材１０は、太陽光、照明光などの外光Ｌ２に対して透明または半透明な光透過性を有するのが望ましい。
【００６８】
応力発光材１０は、少なくとも太陽電池２０の吸収スペクトルの光線を含む太陽光、照明光などの外光Ｌ２に対して光透過性を有するのが望ましい。
【００６９】
しかしながら、発電装置１００の用途によっては、応力発光材１０は光透過性を有さない光遮蔽性であっても良い。
【００７０】
図１に示すように、発電装置１００に、例えば応力発光材１０の表面に外力が加わると、機械的なエネルギーの付与により、応力発光材１０が励起されて、裏面または裏面と表面の両方から発光光線Ｌ１が出射する。
【００７１】
そのとき、裏面から出射した発光光線Ｌ１が太陽電池２０の受光面に入射して、太陽電池２０の光起電効果により電力を生じる。この電力は太陽電池２０の一対の出力端子３０から取り出され任意の電気機器に供給されて利用される。
【００７２】
応力発光材１０が透明または半透明な光透過性を有する場合には、応力発光材１０の表面からも発光光線Ｌ１が外部に出射して照明、表示などに寄与する。
【００７３】
応力発光材１０は、太陽光、照明光などの外光Ｌ２に対して光透過性を有する透明または半透明な光透過性を有する場合には、発電装置１００に外力が加わらない場合でも、外光Ｌ２が応力発光材１０を透過して太陽電池２０の受光面に入射して、太陽電池２０の光起電効果により電力を生じる。
【００７４】
図２の発電装置の概略的な回路図に示すように、応力発光材１０と太陽電池２０とからなる発電装置１００は、その一対の出力端子３０間に、電気二重層キャパシタ（コンデンサ）などを含む充電回路ＣＡＰに電気的接続されている。
【００７５】
充電回路ＣＡＰの出力端に蓄電池ＢＡＴが電気的接続されている。
【００７６】
電気機器などの任意の電気的負荷ＬＤは、蓄電池ＢＡＴの出力端に電気的接続される。
【００７７】
図２において、応力発光材１０に外力ＥＦが加わると、その機械的エネルギーの印加により応力発光材１０から発光光線Ｌ１が出射し、太陽電池２０に受光されて起電し、その出力端子３０には起電電圧Ｖが発生する。
【００７８】
応力発光材１０が光透過性を有する場合には、外力ＥＦの有無にかかわらず外光Ｌ２が応力発光材１０を透過して、太陽電池２０に受光されて起電し、その出力端子３０には起電電圧Ｖの電力が発生する。
【００７９】
この電力は、充電回路ＣＡＰを経由して蓄電池ＢＡＴに蓄えられる。
【００８０】
蓄電池ＢＡＴの出力端に電気機器などの任意の電気的負荷ＬＤを接続することにより、その電力が負荷ＬＤに供給されて、負荷ＬＤが動作する。
【００８１】
用途によっては、電気的負荷ＬＤを直接太陽電池２０の出力端３０に接続してもよく、その場合には、充電回路ＣＡＰ、蓄電池ＢＡＴは省略できる。
【００８２】
また用途によっては、電気的負荷ＬＤを直接、充電回路ＣＡＰの出力端に接続してもよく、その場合には、蓄電池ＢＡＴは省略できる。
【００８３】
＜応力発光材の例示＞
【００８４】
図３、図４を参照して図１に示した応力発光材１０の具体例を説明する。
【００８５】
図３は、図１に示した応力発光材１０の一例である応力発光材１０−１を示す概略的な拡大断面図である。
【００８６】
図４は図１に示した応力発光材１０の他の一例である応力発光材１０−２を示す概略的な拡大断面図である。
【００８７】
図３に示す応力発光材１０−１は、シート状、板状などの光透過性部材１１内に複数の応力発光粒子１２を分散して含有したものである。
【００８８】
光透過性部材１１としては、例えば、アクリル樹脂（ＡＣ）、ポリカーボネート樹脂（ＰＣ）、ポリエチレンテレフタレート樹脂（ＰＥＴ）、フッ素樹脂、シリコーン・ゴム、ポリプロピレン樹脂（ＰＰ）など透明、半透明の光透過性を有する任意の合成樹脂を用いることができる。
【００８９】
応力発光粒子１２としては、例えば、前述の特許文献６ないし特許文献２０に記載された任意の応力発光材料の粒子を用いることができる。
【００９０】
また応力発光粒子の一具体例として、大光炉材株式会社から市販の欠陥制御型ユーロピュウム賦活アルミン酸ストロンチウムＳｒＡｌ2Ｏ4：Ｅｕを主成分とした応力発光粒子を用いることができる。
【００９１】
この大光炉材株式会社製の応力発光粒子、品名ＴＡＩＫＯ−ＭＬ−１の仕様は、中心粒径が５−１０μｍである。
【００９２】
この応力発光粒子（品名ＴＡＩＫＯ−ＭＬ−１）は、応力の印加により応力発光スペクトルは５２０ｎｍ付近の発光をする。
【００９３】
図４に示す応力発光材１０−２は、少なくとも、シート状、板状の光透過性部材１３と、図１に示す太陽電池２０の受光面と対面する光透過性部材１３の裏面１３ａに形成した応力発光層１４とからなる。
【００９４】
応力発光層１４は、複数の応力発光粒子１２を光透過性樹脂バインダー１５内に分散したものとすることができる。
【００９５】
応力発光層１４の代わりに、光透過性部材１３の表面１３ｂに応力発光層１４’を形成しても良い。
【００９６】
応力発光層１４と同様に、応力発光層１４’は複数の応力発光粒子１２’を光透過性樹脂バインダー１５’内に分散したものとすることができる。
【００９７】
図４に示すように、応力発光層１４と応力発光層１４’とを光透過性部材１３の両面に形成しても良い。
【００９８】
光透過性部材１３、光透過性部材１０−１ｂとしては、例えば、アクリル樹脂（ＡＣ）、ポリカーボネート樹脂（ＰＣ）、ポリエチレンテレフタレート樹脂（ＰＥＴ）、フッ素樹脂、シリコーン・ゴム、ポリプロピレン樹脂（ＰＰ）など透明、半透明の光透過性を有する任意の合成樹脂を用いることができる。
【００９９】
光透過性部材１３としては、例えば、アクリル樹脂（ＡＣ）、ポリカーボネート樹脂（ＰＣ）、ポリエチレンテレフタレート樹脂（ＰＥＴ）、フッ素樹脂、シリコーン・ゴム、ポリプロピレン樹脂（ＰＰ）など透明、半透明の光透過性を有する任意の合成樹脂を用いることができる。
【０１００】
光透過性樹脂バインダー１５、１５’としては、光透過性部材１３と同じ任意の合成樹脂を用いることができる。
【０１０１】
また常温硬化性、熱硬化性または光硬化性を有する硬化性光透過性樹脂バインダー１５、１５’を含むアクリル系、エポキシ系などの透明塗料（クリアー・ペイント）内に多数の応力発光粒子１２、１２’を混合させて応力発光塗料とし、この応力発光塗料を光透過性部材１３の裏面１３ａおよび、または表面１３ｂに塗布し、適切な硬化条件を付与することにより、応力発光層１４および、または応力発光層１４’が光透過性部材１３の裏面１３ａおよび、または表面１３ｂに形成することができる。
【０１０２】
図５は、図１に示した応力発光材１０の一変形例である応力発光材１０−３を示す概略的な拡大断面図である。
【０１０３】
図５に示すように、この応力発光材１０−３は、図３に示した応力発光材１０−１と同様に、シート状、板状の光透過性部材１１内に複数の応力発光粒子１２を分散して含有したものである。  
【０１０４】
応力発光材１０−３は、前述の応力発光材１０−１と異なり、外力印加面となる光透過性部材１１の表面に複数のほぼ半円形などの複数の突起１１ａを有している。
【０１０５】
光透過性部材１１内に複数の応力発光粒子１２を含有する代わりに、応力発光粒子を含有する応力発光層１４を光透過性部材１１の裏面に形成しても良い。
【０１０６】
図６は、図１に示した応力発光材１０の他の一変形例である応力発光材１０−４を示す概略的な拡大断面図である。
【０１０７】
図６に示すように、シート状、板状の光透過性部材１１内に複数の応力発光粒子１２を分散して含有したものである。  
【０１０８】
応力発光材１０−４は、前述の応力発光材１０−１と異なり、更に外力印加面となる光透過性部材１１の表面に複数のほぼ半円形などの複数の突起１１ａを有している。
【０１０９】
更に光透過性部材１１としてゴム弾性体を用い、突起１１ａを加圧したときにスナップ・アクション効果を生じるように、突起１１ａの下部に空洞１１ｂを有している。
【０１１０】
空洞１１ｂの存在により、突起１１ａを所定圧力以上の外力が加わると突起１１ａは急激にへこんで、応力発光粒子１２は強く発光する。
【０１１１】
その外力の除去により光透過性部材１１のゴム弾性により元の突起形状に戻るときに応力発光粒子１２は再び強く発光する。
【０１１２】
このように、応力発光粒子１２は外力を印加したときと外力を除去したときの往復で強く発光する。
【０１１３】
加圧したとき光透過性部材１１内に複数の応力発光粒子１２を含有する代わりに、応力発光粒子を含有する応力発光層１４を光透過性部材１１の裏面に形成しても良い。
【０１１４】
＜太陽電池の例示＞
【０１１５】
図１に示す本発明の発電装置１００に用いる太陽電池２０としては、周知の任意のものを使用できる。
【０１１６】
図７を参照して、本発明に用いられる典型的な太陽電池２０の一例を説明する。
【０１１７】
図７は、太陽電池２０の一例であるシリコン結晶を用いた太陽電池２０Ａを示す概略的な斜視図である。
【０１１８】
図７に示すように、シリコン結晶を用いた単位太陽電池セル（図中実線で示す）は、薄板状のｐ型シリコン単結晶板２０Ａ１と、ｐ型シリコン単結晶板２０Ａ１の上面に形成されたｎ型シリコン層２０Ａ２とｎ型シリコン層２０Ａ２の上面（受光面側）に形成された複数の線状の表面電極２０Ａ４と、ｐ型シリコン単結晶板２０Ａ１の下面に形成された膜状の裏面電極２０Ａ３とからなる。
【０１１９】
図７に示すように、太陽電池２０Ａ（太陽電池モジュール）はこの単位太陽電池セルの複数を互いに隣接して平面的に配置したものである。
【０１２０】
線状導体２０Ａ５により太陽電池セルの表面電極が電気的に接続されて、一方の出力端子３０に接続される。
【０１２１】
太陽電池セルの裏面電極が電気的に接続されて、他方の出力端子３０に接続される。
【０１２２】
複数の太陽電池セルは目的に対応して直列、並列、直並列に接続されて太陽電池２０Ａ（太陽電池モジュール）が構成され、その出力端子３０から所定の電圧の電力が出力する。
【０１２３】
図８を参照して、本発明に用いられる典型的な太陽電池２０の他の一例を説明する。
【０１２４】
図８は、太陽電池２０の他の一例である非結晶シリコンを用いたフレキシブル性を有するアモルファス・シリコン型太陽電池２０Ｂを示す概略的な斜視図である。
【０１２５】
図７に示すように、シリコン結晶を用いた単位太陽電池セル（図中実線で示す）は、薄板状のｐ型シリコン単結晶板２０Ａ１と、ｐ型シリコン単結晶板２０Ａ１の上面に形成されたｎ型シリコン層２０Ａ２とｎ型シリコン層２０Ａ２の上面（受光面側）に形成された複数の線状の表面電極２０Ａ４と、ｐ型シリコン単結晶板２０Ａ１の下面に形成された膜状の裏面電極２０Ａ３とからなる。
【０１２６】
図８は、太陽電池２０の他の一例である非結晶シリコンを用いたフレキシブル性を有するアモルファス・シリコン型太陽電池２０Ｂを示す概略的な斜視図である。
【０１２７】
図８に示すように、アモルファス・シリコン型太陽電池２０Ｂは、上面が受光面となるポリエチレンテレフタレート（ＰＥＴ）、ポリエチレンナフタレート（ＰＥＮ）、ポリカーボネート（ＰＣ）、ポリエーテルスルホン（ＰＥＳ）などの
透明ポリマー・フィルムからなる透明フレキシブル基板２０Ｂ１と、インジウム・スズ酸化物（ＩＴＯ）などからなる膜状の透明電極２０Ｂ２と、ｐ型非結晶シリコン層２０Ｂ３と、ｉ型非結晶シリコン層２０Ｂ４と、ｎ型非結晶シリコン層２０Ｂ５と、膜状の裏面電極２０Ｂ６とを上記の順序で配置した積層体である。  
【０１２８】
一方の出力端子３０ａは透明電極２０Ｂ２と接続され、他方の出力端子３０ｂは裏面電極２０Ｂ６と接続され、これらの一対の出力端子３０ａ、３０ｂから電力が出力される。
【０１２９】
＜発電装置の一実施例＞
【０１３０】
図９を参照して本発明の一実施例の発電装置１０１を説明する。
【０１３１】
図９は、本発明の一実施例の発電装置１０１を示す概略的な断面図である。
【０１３２】
図９に示すように、発電装置１０１は、前述のシート状、フイルム状、板状または膜状の応力発光材１０と、前述のシート状、フイルム状、板状または膜状の太陽電池２０とを隣接または一体化した積層体１０、２０と、積層体１０、２０を包囲して収容するケース４０と、太陽電池２０からケース４０の外部に引き出された一対の出力端子３０からなる。
【０１３３】
応力発光材１０としては、図３に示す応力発光材１０−１、図４に示す応力発光材１０−２、図５に示す応力発光材１０−３または図６に示す応力発光材１０−４を用いることができる。
【０１３４】
太陽電池２０としては、例えば、図７に示す太陽電池２０Ａ、図８に示す太陽電池２０Ｂなどを用いることができる。
【０１３５】
ケース４０は、光透過性ポリマーからなるのが望ましい。
【０１３６】
ケース４０と応力発光材１０とを光透過性とする場合に、外力が存在しないときにも外光がケース４０と応力発光材１０を透過して太陽電池２０に入射できる。
【０１３７】
ケース４０は、シリコーン・コムなどの弾性を有する弾性ポリマーからなるのが望ましい。
【０１３８】
ケース４０を弾性とする場合には、上面から加わる外力を応力発光材１０に良く伝達できる。
【０１３９】
またケース４０を弾性とする場合には、下面から加わる外力を太陽電池２０を経由して応力発光材１０に良く伝達できる。
【０１４０】
＜発電装置の他の一実施例＞
【０１４１】
図１０を参照して本発明の他の一実施例の発電装置１０２を説明する。
【０１４２】
図１０は、本発明の他の一実施例の発電装置１０２を示す概略的な断面図である。
【０１４３】
図１０に示すように、発電装置１０２は、前述の発電装置１０１と同様に、シート状、フイルム状、板状または膜状の応力発光材１０と、前述のシート状、フイルム状、板状または膜状の太陽電池２０とを隣接または一体化した積層体１０、２０とからなる。
【０１４４】
更に、上面を開口として積層体１０、２０を包囲して収容するケース４０と、太陽電池２０からケース４０の外部に引き出された一対の出力端子３０からなる。
【０１４５】
上記の開口には、光透過性の蓋４３が配置されている。
【０１４６】
光透過性の蓋４３は、シリコーン・ゴムなどの弾性を有するポリマーからなるのが望ましい。
【０１４７】
蓋４３を弾性とする場合には、上面から加わる外力を応力発光材１０に良く伝達できる。
【０１４８】
蓋４３と応力発光材１０とを光透過性とする場合に、外力が存在しないときにも外光が蓋４３と応力発光材１０を透過して太陽電池２０に入射できる。
【０１４９】
ケース４０は、遮光性、または光透過性の任意の熱可塑性または硬化性の任意のポリマー樹脂が使用できる。
【０１５０】
応力発光材１０としては、図３に示す応力発光材１０−１、図４に示す応力発光材１０−２、図５に示す応力発光材１０−３または図６に示す応力発光材１０−４を用いることができる。
【０１５１】
太陽電池２０としては、例えば、図７に示す太陽電池２０Ａ、図８に示す太陽電池２０Ｂなどを用いることができる。
【０１５２】
＜発電装置の更に他の一実施例＞
【０１５３】
図１１を参照して本発明の更に他の一実施例の発電装置１０３を説明する。
【０１５４】
図１１は、本発明の更に他の一実施例の発電装置１０３を示す概略的な断面図である。
【０１５５】
図１１に示すように、発電装置１０３は、前述の発電装置１０１、１０２と同様に、シート状、フイルム状、板状または膜状の応力発光材１０と、前述のシート状、フイルム状、板状または膜状の太陽電池２０とを隣接または一体化した積層体１０、２０とからなる。
【０１５６】
更に、上面を開口として積層体１０、２０を包囲して収容するケース４０と、太陽電池２０からケース４０の外部に引き出された一対の出力端子３０からなる。
【０１５７】
上記の開口により、応力発光材１０の上面が露出しているので外力が応力発光材１０に伝達しやすい。
【０１５８】
応力発光材１０を光透過性とする場合に、外力が存在しないときにも外光が応力発光材１０を透過して太陽電池２０に入射できる。
【０１５９】
ケース４０は、遮光性、または光透過性の任意の熱可塑性または硬化性の任意のポリマー樹脂が使用できる。
【０１６０】
応力発光材１０としては、図３に示す応力発光材１０−１、図４に示す応力発光材１０−２、図５に示す応力発光材１０−３または図６に示す応力発光材１０−４を用いることができる。
【０１６１】
太陽電池２０としては、例えば、図７に示す太陽電池２０Ａ、図８に示す太陽電池２０Ｂなどを用いることができる。
【０１６２】
＜発電装置の更に他の一実施例＞
【０１６３】
図１２を参照して本発明の更に他の一実施例の発電装置１０４を説明する。
【０１６４】
図１２は、本発明の更に他の一実施例の発電装置１０４を示す概略的な断面図である。
【０１６５】
図１２に示すように、発電装置１０４は、シート状、フイルム状、板状または膜状の両面受光型太陽電池２１と、両面受光型太陽電池２１の両面に配置されたシート状、フイルム状、板状または膜状の応力発光材１０Ａ、１０Ｂとを、隣接または一体化した積層体１０Ａ、１０Ｂ、２１からなる。
【０１６６】
更に、発電装置１０４は、積層体１０Ａ、１０Ｂ、２１を包囲して収容するケース４２と、太陽電池２１からケース４２の外部に引き出された一対の出力端子３０からなる。
【０１６７】
両面受光型太陽電池２１それ自体は、例えば特開２０００−２４３９８９、特開２００１−３５８３５３外の特許文献により公知である。
【０１６８】
前者（特開２０００−２４３９８９）には、アモルファス・シリコンなどを用い両面から入射する光を発電に利用できるフレキシブルな透明フィルム型太陽電池モジュールが開示されている。
【０１６９】
後者（２００１−３５８３５３）には、ｐ型シリコン基板―の表面にｎ+  層を形成し、裏面側にｐ+層３を形成し、ｎ+  層，ｐ+  層に、それぞれ、エミッター電極，コレクター電極を形成した太陽電池セルとすることにより、表面からの照射光および裏面からの照射光の両者によって、電気出力を得ることができる太陽光発電装置が開示されている。
【０１７０】
ケース４０として例えばシリコーン・ゴムなどの弾性を有する任意のポリマー樹脂を用いることにより、ケース４０の両面の一方または両方から外力を加えたときに応力発光材１０Ａ、１０Ｂに効果的に外力の機械的エネルギーが伝達されて、応力発光材１０Ａ、１０Ｂを効率良く発光させることができる。
【０１７１】
応力発光材１０Ａ、１０Ｂからの発光光線は、両面受光型太陽電池２１の両面の受光面に入射され吸収されて電力を発生し、出力端子３０に出力する。
【０１７２】
ケース４０として光透過性の任意の熱可塑性または硬化性の任意のポリマー樹脂を用い、応力発光材１０Ａ、１０Ｂも光透過性とすることにより、外力の有無に無関係に、太陽光、照明光などの外光がケース４０、応力発光材１０Ａ、１０Ｂを経由して両面受光型太陽電池２１の両面の受光面に入射され吸収されて電力を発生し、出力端子３０に出力する。
＜発電装置の更に他の一実施例＞
【０１７３】
図１３を参照して本発明の更に他の一実施例の発電装置１０５を説明する。
【０１７４】
図１３は、本発明の更に他の一実施例の発電装置１０５を示す概略的な断面図である。
【０１７５】
図１３に示すように、発電装置１０５は、シート状、フイルム状、板状または膜状の前述の両面受光型太陽電池２１と、両面受光型太陽電池２１を包囲して収容する応力発光材を担持した応力発光型ケース４３と、両面受光型太陽電池２１から応力発光型ケース４３の外部に引き出された一対の出力端子３０からなる。
【０１７６】
この実施例では、ケースが応力発光材を兼用いていることになる。
【０１７７】
応力発光型ケース４３として、例えばシリコーン・ゴムなどの弾性と光透過性を有する任意の光透過弾性ポリマー内に複数の応力発光粒子を混合して分散、配置したものを用いるのが望ましい。
【０１７８】
応力発光型ケース４３の弾性により、その両面の一方または両方から外力を加えたときに直接ケース４３内の応力発光粒子に効果的に外力の機械的エネルギーが伝達されて、応力発光型ケース４３を効率良く発光させることができる。
【０１７９】
応力発光型ケース４３の内側に向かう発光光線は、両面受光型太陽電池２１の両面の受光面に入射して電力を発生する。
【０１８０】
応力発光型ケース４３から外部に向かう発光光線は、照明または表示に用いることができる。
【０１８１】
更に、応力発光型ケース４３の光透過性により、外力の有無に無関係に、太陽光、照明光などの外光が応力発光型ケース４３を経由して両面受光型太陽電池２１の両面の受光面に入射され吸収されて電力を発生する。
【０１８２】
＜発電装置の更に他の一実施例＞
【０１８３】
図１４、図１５、図１６を参照して本発明の更に他の一実施例の発電装置１０６を説明する。
【０１８４】
図１４は、本発明の更に他の一実施例の発電装置１０６を示す概略的な断面図である。
【０１８５】
図１５は、本発明の更に他の一実施例の発電装置１０６の一つの動作を示す概略的な断面図である。
【０１８６】
図１６は、本発明の更に他の一実施例の発電装置１０６の他の動作を示す概略的な断面図である。
【０１８７】
図１４、図１５、図１６に示すように、発電装置１０６は、上部に開口と、上部の内側に段差４５を有するケース４４と、ケース４４の内側の底面に配置したシート状、フイルム状、板状または膜状の前述の太陽電池２０と、開口を覆うように周辺を段差４５に配置したシート状、フイルム状、板状の前述の応力発光材１０と、太陽電池２０からケース４４の外部に引き出された一対の出力端子３０からなる。
【０１８８】
ケース４４の素材は目的に応じて金属、樹脂から選択して使用される。
【０１８９】
図１４に示すように、応力発光材１０と太陽電池２０とは互いに離間して配置されている。
【０１９０】
応力発光材１０と太陽電池２０との間に空洞４６を有している。
【０１９１】
外力ＥＦが存在していないときに、応力発光材１０の下面と太陽電池２０の上面とはギャップｇだけ離れており、外力ＥＦが応力発光材１０に加わるときに応力発光材１０の下面が最大、距離ｄだけ下がり、外力ＥＦの除去後に元の状態に戻る。
【０１９２】
この実施例では、応力発光材１０と太陽電池２０とは、外力ＥＦが加わるときにも互いに接触することがないので、機械的強度の小さい任意の太陽電池２０が使用できる。
【０１９３】
外力ＥＦが応力発光材１０に加わるときに応力発光材１０の発光光線は、太陽電池２０の受光面に入射されて発電する。
【０１９４】
外力ＥＦが応力発光材１０から除去されたときに応力発光材１０は元の位置に戻りこのときも応力発光材１０の復元力により応力発光材１０から光線を発し、太陽電池２０の受光面に入射されて発電する。
【０１９５】
発電装置１０６は、種々の用途に適用可能であるが、発電装置１０６を道路に埋設した一例を、図１５、図１６により説明する。
【０１９６】
図１５、図１６に示すように、発電装置１０６は、自動車、自転車、人間、列車を含む移動体が通過する道路、軌道、建物の床などの移動体通過路ＲＤに埋設される。
【０１９７】
図１５、図１６に示すように、発電装置１０６の表面を露出させて移動体通過路ＲＤに発電装置１０６を埋設するのが望ましい。
【０１９８】
この場合、応力発光材１０の表面を移動体が通過するために機械的強度を大とする必要があるため、応力発光材１０として強化ガラス、金網入り強化ガラス、ポリカーボネート樹脂などの光透過性板に応力発光材を担持したものが用いるのが望ましい。
【０１９９】
応力発光材１０として、光透過性板の内部に応力発光材粒子を混合分散したもの、または光透過性板の表面に応力発光材粒子を含有する塗料を塗布したものを用いることができる。
【０２００】
ケース４４内の空洞４６にシリコーン・ゲルなどの光透過性を有する応力緩衝材を充填してもよい。
【０２０１】
図１５は、発電装置１０６に外光Ｌ２が入射している状態の動作を示している。
【０２０２】
図１５に示すように、外光Ｌ２は光透過性を有する応力発光板１０と空洞４６を経由して太陽電池２０の上面の受光面に照射されて発電し、この電力は出力端子３０に出力する。
【０２０３】
図１６に示すように、移動体が応力発光板１０上を通過するときに、その機械的な外力ＥＦの機械的エネルギーが応力発光板１０に加わり、応力発光板１０はケース４４の段差部４５を支点として下方に弾性変形する。  
【０２０４】
これにより、応力発光板１０の応力発光材が発光し、この発光光線Ｌ１は上下両方向に進行する。
【０２０５】
移動体が応力発光板１０上を去って、弾性変形が元の状態に回復する途中でも応力発光板１０は発光する。
【０２０６】
応力発光板１０の弾性変形のみならず、応力発光板１０上に自動車、自転車のタイヤ、靴底などの移動体が通過するときの摩擦、衝撃などによる所定値以上の外力ＥＦの印加によっても、応力発光板１０は発光する。
【０２０７】
応力発光板１０の下方に向かった発光光線Ｌ１は、太陽電池２０の受光面に入射して電力を発生する。
【０２０８】
応力発光板１０の外部に向かう発光光線は、照明または表示に用いることができる。
【０２０９】
以上に添付図面を参照して本発明の各種の実施の形態、実施例を記述したが、本発明はこれらの実施の形態、実施例に限定されず、本発明の精神と特許請求の範囲に基づいて各種の変形、設計変更および改良が可能であることに留意されたい。
【図面の簡単な説明】
【０２１０】
【図１】図１は、本発明の基本原理を説明する発電装置の概略的な斜視図である。
【図２】図２は、本発明の基本原理を説明する発電装置の概略的な回路図である。
【図３】図３は、図１に示した応力発光材１０の一例である応力発光材１０−１を示す概略的な拡大断面図である。
【図４】図４は図１に示した応力発光材１０の他の一例である応力発光材１０−２を示す概略的な拡大断面図である。
【図５】図５は、図１に示した応力発光材１０の一変形例である応力発光材１０−３を示す概略的な拡大断面図である。
【図６】図６は、図１に示した応力発光材１０の他の一変形例である応力発光材１０−４を示す概略的な拡大断面図である。
【図７】図７は、太陽電池２０の一例であるシリコン結晶を用いた太陽電池２０Ａを示す概略的な斜視図である。
【図８】図８は、太陽電池２０の他の一例である非結晶シリコンを用いたフレキシブル性を有するアモルファス・シリコン型太陽電池２０Ｂを示す概略的な斜視図である。
【図９】図９は、本発明の一実施例の発電装置１０１を示す概略的な断面図である。
【図１０】図１０は、本発明の他の一実施例の発電装置１０２を示す概略的な断面図である。
【図１１】図１１は、本発明の更に他の一実施例の発電装置１０３を示す概略的な断面図である。
【図１２】図１２は、本発明の更に他の一実施例の発電装置１０４を示す概略的な断面図である。
【図１３】図１３は、本発明の更に他の一実施例の発電装置１０５を示す概略的な断面図である。
【図１４】図１４は、本発明の更に他の一実施例の発電装置１０６を示す概略的な断面図である。
【図１５】図１５は、本発明の更に他の一実施例の発電装置１０６の一つの動作を示す概略的な断面図である。
【図１６】図１６は、本発明の更に他の一実施例の発電装置１０６の他の動作を示す概略的な断面図である。
【図１】
2009016576.tif 000003
【図２】
2009016576.tif 000004
【図３】
2009016576.tif 000005
【図４】
2009016576.tif 000006
【図５】
2009016576.tif 000007
【図６】
2009016576.tif 000008
【図７】
2009016576.tif 000009
【図８】
2009016576.tif 000010
【図９】
2009016576.tif 000011
【図１０】
2009016576.tif 000012
【図１１】
2009016576.tif 000013
【図１２】
2009016576.tif 000014
【図１３】
2009016576.tif 000015
【図１４】
2009016576.tif 000016
【図１５】
2009016576.tif 000017
【図１６】
2009016576.tif 000018